(57)【要約】【課題】得意先の顧客を担当する営業担当者が得意先の顧客のために定番商品を登録できるようにすることで、注文入力を行う際の顧客の操作負担を低減することである。【解決手段】サーバ１０は、顧客と営業担当者とを対応付けて得意先テーブル６０に記憶し、営業担当者の操作に応じて第１の端末装置２０が通信接続した場合に、当該営業担当者に対応する顧客が注文する定番商品を設定するための設定画面情報を第１の端末装置２０に送信し、送信された設定画面情報を受信した第１の端末装置２０で設定され、第１の端末装置２０から送信された定番商品の商品情報を受信して定番商品テーブル８０に記憶する。そして、サーバ１０は、顧客の操作に応じて第２の端末装置２０が通信接続した場合に、当該顧客に対応する定番商品の商品情報を定番商品テーブル８０から読み出し、当該定番商品の商品情報を含む注文入力画面情報を第２の端末装置２０に送信する。【選択図】図１
2018190461.tif 000002
【特許請求の範囲】
【請求項１】
通信接続された端末装置に対して商品の注文画面を送信する際には、商品の注文を確定するための第１のボタンと、選択された定番商品を保存するための第２のボタンと、選択された商品の商品情報を表示するための商品情報表示欄と、を含めた注文画面を送信する送信手段と、
前記送信手段により送信された注文画面を受信した端末装置で、前記第２のボタンが操作された際には、前記商品情報表示欄に含まれる商品を定番商品とし、当該商品の商品情報と注文を行った顧客の顧客情報とを対応付けて記憶部に記憶させる記憶制御手段と、
前記送信手段により送信された注文画面を受信した端末装置で、前記第１のボタンが操作された際には、前記商品情報表示欄に含まれる商品を注文商品とし、当該商品の注文処理を実行する注文制御手段と、
を備えることを特徴とする表示制御装置。
【請求項２】
前記注文画面には、前記記憶部に記憶されている定番商品を読み出すための第３のボタンが更に含まれ、
前記送信手段は、前記第３のボタンが操作された際に、前記顧客に対応して記憶部に記憶された定番商品を含む注文画面を再送信する、
ことを特徴とする請求項１に記載の表示制御装置。
【請求項３】
前記注文画面には、当該注文画面に商品を追加するための第４のボタンと、当該注文画面から商品を削除するための第５のボタンが更に含まれ、
前記送信手段は、前記第４のボタンまたは前記第５のボタンが操作された際に、前記注文画面に含まれる商品の追加または削除を行い、変更後の注文画面を再送信する、
ことを特徴とする請求項１または２に記載の表示制御装置。
【請求項４】
前記商品情報表示欄には、選択された商品の商品情報として、当該商品の商品画像が含まれる、
ことを特徴とする請求項１から３何れか一項に記載の表示制御装置。
【請求項５】
前記注文画面には、当該注文画面に対応する顧客を変更するための第６のボタンが更に含まれ、
前記送信手段は、前記第６のボタンが操作された際に、顧客の変更選択入力を行わせるための選択画面を送信する、
ことを特徴とする請求項１から４何れか一項に記載の表示制御装置。
【請求項６】
コンピュータを、
通信接続された端末装置に対して商品の注文画面を送信する際には、商品の注文を確定するための第１のボタンと、選択された定番商品を保存するための第２のボタンと、選択された商品の商品情報を表示するための商品情報表示欄と、を含めた注文画面を送信する送信手段、
前記送信手段により送信された注文画面を受信した端末装置で、前記第２のボタンが操作された際には、前記商品情報表示欄に含まれる商品を定番商品とし、当該商品の商品情報と注文を行った顧客の顧客情報とを対応付けて記憶部に記憶させる記憶制御手段、
前記送信手段により送信された注文画面を受信した端末装置で、前記第１のボタンが操作された際には、前記商品情報表示欄に含まれる商品を注文商品とし、当該商品の注文処理を実行する注文制御手段、
として機能させるためのプログラム。
【発明の詳細な説明】
【技術分野】
【０００１】
本発明は、表示制御装置及びプログラムに関する。
【背景技術】
【０００２】
従来、顧客に販売する商品の注文入力を受け付けるコンピュータシステムが知られている。例えば、サーバ及び端末を備え、当該サーバが顧客の端末に注文入力画面を表示し、当該顧客からの商品注文の操作入力を受け付けるコンピュータシステムが知られている。
【０００３】
上記コンピュータシステムでは、毎回の注文時に、商品の注文情報を入力するため、同じ商品を入力する場合等、操作入力が煩わしい。このため、顧客自身が以前に選択した商品の情報を登録し、登録した商品（証券）の情報を注文入力画面の発注ウインドウにデフォルト表示するコンピュータシステムが知られている（例えば、特許文献１参照）。顧客は、発注ウインドウにデフォルト表示された商品の情報を選択、調整操作することにより、当該商品の発注が可能である。
【０００４】
また、注文入力を行う顧客自身が予め操作入力によりデフォルト表示する商品を任意に登録しておき、その商品を注文入力画面にデフォルト表示させるコンピュータシステムも知られている。
【先行技術文献】
【特許文献】
【０００５】
【特許文献１】特表２００３−５２８３７０号公報
【発明の概要】
【発明が解決しようとする課題】
【０００６】
しかし、従来のデフォルト表示する商品を任意に登録するコンピュータシステムでは、顧客自身が登録の設定操作をする必要があり、その設定操作を覚えたりする等、商品を購入する側の顧客の操作負担が大きくなるおそれがあった。
そのため、注文入力を行う際の顧客の操作負担を低減させることが要望されている。
【０００７】
本発明の課題は、顧客のための定番商品の登録を、商品注文を行うための注文画面から注文操作を行う操作と同様の操作で行えるようにすることで、注文入力を行う際の顧客の操作負担を低減することである。
【課題を解決するための手段】
【０００８】
上記課題を解決するために、本発明の表示制御装置は、通信接続された端末装置に対して商品の注文画面を送信する際には、商品の注文を確定するための第１のボタンと、選択された定番商品を保存するための第２のボタンと、選択された商品の商品情報を表示するための商品情報表示欄と、を含めた注文画面を送信する送信手段と、前記送信手段により送信された注文画面を受信した端末装置で、前記第２のボタンが操作された際には、前記商品情報表示欄に含まれる商品を定番商品とし、当該商品の商品情報と注文を行った顧客の顧客情報とを対応付けて記憶部に記憶させる記憶制御手段と、前記送信手段により送信された注文画面を受信した端末装置で、前記第１のボタンが操作された際には、前記商品情報表示欄に含まれる商品を注文商品とし、当該商品の注文処理を実行する注文制御手段と、を備える。
【発明の効果】
【０００９】
本発明によれば、顧客のための定番商品の登録を、商品注文を行うための注文画面から注文操作を行う操作と同様の操作で行えるようにすることで、注文入力を行う際の顧客の操作負担を低減することができる。
【図面の簡単な説明】
【００１０】
【図１】本発明の第１の実施の形態の商品注文システムの構成を示すブロック図である。
【図２】サーバの機能構成を示すブロック図である。
【図３】端末装置の機能構成を示すブロック図である。
【図４】（ａ）は、会社テーブルの構成を示す図である。（ｂ）は、認証テーブルの構成を示す図である。（ｃ）は、担当者テーブルの構成を示す図である。
【図５】（ａ）は、得意先テーブルの構成を示す図である。（ｂ）は、商品テーブルの構成を示す図である。（ｃ）は、第１の定番商品テーブルの構成を示す図である。
【図６】端末装置で実行されるブラウザ処理を示すフローチャートである。
【図７】サーバで実行される第１の注文入力画面表示処理を示すフローチャートである。
【図８】ログイン画面を示す図である。
【図９】得意先選択画面を示す図である。
【図１０】注文入力画面を示す図である。
【図１１】サーバで実行される第１の定番商品保存処理を示すフローチャートである。
【図１２】商品追加画面を示す図である。
【図１３】（ａ）は、第２の定番商品テーブルの構成を示す図である。（ｂ）は、第１の定番商品情報テーブルの構成を示す図である。
【図１４】サーバで実行される第２の注文入力画面表示処理を示すフローチャートである。
【図１５】定番商品選択画面を示す図である。
【図１６】サーバで実行される第２の定番商品保存処理を示すフローチャートである。
【図１７】定番商品保存名入力画面を示す図である。
【図１８】第２の定番商品情報テーブルを示す図である。
【図１９】サーバで実行される第２の注文入力画面表示処理の変形例の一部を示すフローチャートである。
【図２０】定番商品保存名及び表示日時条件入力画面を示す図である。
【発明を実施するための形態】
【００１１】
以下、添付図面を参照して本発明に係る第１、第２の実施の形態及び変形例を順に詳細に説明する。なお、本発明は、図示例に限定されるものではない。
【００１２】
（第１の実施の形態）
図１〜図１２を参照して、本発明に係る第１の実施の形態を説明する。先ず、図１〜図３を参照して、本実施の形態の装置構成を説明する。
図１は、本実施の形態の商品注文システム１の構成を示すブロック図である。
図２は、サーバ１０の機能構成を示すブロック図である。
図３は、端末装置２０の機能構成を示すブロック図である。
【００１３】
図１を参照して、本実施の形態の商品注文システム１を説明する。商品注文システム１は、商品を販売する複数の商品卸会社の業務に関するサービスの提供を行うシステムである。商品注文システム１の利用者は、商品卸会社の管理者と、営業担当者と、得意先と、の３種類が存在する。
【００１４】
商品卸会社の管理者は、商品注文システム１を操作・管理する者である。商品卸会社の管理者は、例えば、商品注文システム１を利用して、商品卸会社のＨＰ（Home Page）作成や、各種マスタ登録を行い、商品の注文入力も可能である。
【００１５】
営業担当者は、商品卸会社の従業員であり、得意先に関する担当者として、担当する得意先に関する営業処理を行う。商品卸会社には、少なくとも１名の営業担当者が配属されているものとする。各営業担当者は、少なくとも１つの得意先を担当している。営業担当者の営業処理は、商品注文システム１を利用して、外出先等から、担当する得意先の商品の注文入力を行うこと等である。
【００１６】
得意先は、商品卸会社の顧客であり、商品卸会社から商品を仕入れる事業者である。得意先は、商品注文システム１を利用して、商品の注文入力を行う。
【００１７】
商品注文システム１は、ＢｔｏＢ（企業（Business）間の電子商取引）用のシステムである。つまり、商品卸会社だけでなく、得意先も企業である。ここでは、商品卸会社が、商品としての野菜等の食品の卸会社であり、得意先が、製造工場、商店、食堂等である例を説明するが、これに限定されるものではない。なお、本実施の形態では、営業担当者又は得意先の顧客が商品注文システム１を利用する場合を主として説明する。
【００１８】
図１に示すように、商品注文システム１は、表示制御装置としてのサーバ１０と、複数の端末装置２０と、を備える。サーバ１０と複数の端末装置２０とは、通信ネットワークＮを介して接続されている。
【００１９】
サーバ１０は、端末装置２０に商品の注文入力を受け付けるサービスを提供するＷｅｂアプリケーションサーバである。端末装置２０は、顧客及び営業担当者がそれぞれ所有（使用）するデスクトップＰＣ（Personal Computer）としての端末装置である。しかし、端末装置２０は、少なくとも通信ネットワークＮに接続できブラウザが使用できる端末装置であればよく、携帯電話機、スマートフォン、タブレットＰＣ等としてもよい。
【００２０】
通信ネットワークＮは、インターネットであるものとし、無線、専用線、ＬＡＮ（Local Area Network）等を含んでもよい。
【００２１】
次いで、図２を参照して、サーバ１０の機能構成を説明する。サーバ１０は、記憶制御手段としてのＣＰＵ（Central Processing Unit）１１と、操作部１２と、ＲＡＭ（Random Access Memory）１３と、表示部１４と、記憶部１５と、通信部１６と、計時部１７と、を備える。サーバ１０の各部は、バス１８を介して接続されている。ＣＰＵ１１、通信部１６は、第１、第２の送信手段として機能する。記憶部１５は、第１、第２の記憶手段として機能する。
【００２２】
ＣＰＵ１１は、サーバ１０の各部を制御する。ＣＰＵ１１は、記憶部１５に記憶されているシステムプログラム及びアプリケーションプログラムのうち、指定されたプログラムを読み出してＲＡＭ１３に展開し、ＲＡＭ１３に展開されたプログラムとの協働で、各種処理を実行する。
【００２３】
ＣＰＵ１１は、第１の注文入力画面表示プログラム１５１に従い、担当者ＩＤの入力により営業担当者が端末装置２０からログインした場合に、当該担当者に対応する得意先の定番商品の情報を設定するための注文入力画面情報を営業担当者の端末装置２０に送信し、端末装置２０に注文入力画面を表示させる。定番商品とは、得意先が購入する頻度が高い商品や、得意先にお勧めの商品である。
【００２４】
また、ＣＰＵ１１は、第１の定番商品保存プログラム１５２に従い、営業担当者の端末装置２０から設定された得意先の定番商品の情報を受信して記憶部１５の定番商品テーブル８０に記憶する。そして、ＣＰＵ１１は、第１の注文入力画面表示プログラム１５１に従い、得意先ＩＤの入力により得意先の顧客が端末装置２０からログインした場合に、当該得意先ＩＤに対応する定番商品の情報を定番商品テーブル８０から読み出し、当該定番商品の情報を含む注文入力画面を表示するための注文入力画面情報を得意先の端末装置２０に送信し、得意先の端末装置２０に注文入力画面を表示させる。
【００２５】
操作部１２は、各種キー操作入力を受け付けるキーボードを備え、キー操作入力に応じた操作情報をＣＰＵ１１に出力する。また、操作部１２は、マウス等のポインティングデバイスを備え、位置情報の操作入力を受け付けて操作情報をＣＰＵ１１に出力する。
【００２６】
ＲＡＭ１３は、情報を一時的に記憶する揮発性の半導体メモリであり、各種データ及びプログラムを格納するワークエリアを有する。
【００２７】
表示部１４は、ＬＣＤ（Liquid Crystal Display）等により構成され、ＣＰＵ１１から入力される表示情報に応じて各種表示を行う。
【００２８】
記憶部１５は、ＨＤＤ（Hard Disk Drive）等により構成され、各種データ及び各種プログラムを読み出し及び書き込み可能に記憶する。記憶部１５には、後述する会社テーブル３０、認証テーブル４０、担当者テーブル５０、得意先テーブル６０、商品テーブル７０、定番商品テーブル８０と、第１の注文入力画面表示プログラム１５１、第１の定番商品保存プログラム１５２と、が記憶される。
【００２９】
通信部１６は、ネットワークカード等で構成され、サーバ１０と、通信ネットワークＮとの間の通信の制御を行う。通信部１６により、サーバ１０は、通信ネットワークＮ上の端末装置２０と通信が可能となる。
【００３０】
計時部１７は、現在の日時情報を計時する計時回路を有し、当該計時回路により計時した現在日時情報をＣＰＵ１１に出力する。
【００３１】
次いで、図３を参照して、端末装置２０の機能構成を説明する。端末装置２０は、ＣＰＵ２１と、操作部２２と、ＲＡＭ２３と、表示部２４と、記憶部２５と、通信部２６と、を備える。端末装置２０の各部は、バス２７を介して接続されている。
【００３２】
ここで、ＣＰＵ２１、操作部２２、ＲＡＭ２３、表示部２４、記憶部２５、通信部２６は、サーバ１０のＣＰＵ１１、操作部１２、ＲＡＭ１３、表示部１４、記憶部１５、通信部１６と同様の構成を有するので、異なる部分を主として説明する。
【００３３】
ＣＰＵ２１は、端末装置２０の各部を制御する。ＣＰＵ２１は、ブラウザプログラム２５１に従い、操作部２２を介して入力された操作情報をサーバ１０に送信し、サーバ１０から送信された表示情報を受信して表示部２４に表示する。
【００３４】
記憶部２５には、ブラウザプログラム２５１が記憶される。
【００３５】
次に、図４及び図５を参照して、サーバ１０の記憶部１５に記憶される情報を説明する。
図４（ａ）は、会社テーブル３０の構成を示す図である。図４（ｂ）は、認証テーブル４０の構成を示す図である。図４（ｃ）は、担当者テーブル５０の構成を示す図である。
図５（ａ）は、得意先テーブル６０の構成を示す図である。図５（ｂ）は、商品テーブル７０の構成を示す図である。図５（ｃ）は、定番商品テーブル８０の構成を示す図である。
【００３６】
図４（ａ）に示すように、会社テーブル３０は、会社ＩＤ３１と、会社名３２と、住所３３と、郵便番号３４と、電話番号３５と、ＦＡＸ番号３６と、メールアドレス３７と、の項目を有する。
【００３７】
会社ＩＤ３１は、商品卸会社の識別情報である。会社名３２は、会社ＩＤ３１の商品卸会社の名前である。住所３３は、会社ＩＤ３１の商品卸会社の住所である。郵便番号３４は、会社ＩＤ３１の商品卸会社の郵便番号である。電話番号３５は、会社ＩＤ３１の商品卸会社の電話番号である。ＦＡＸ番号３６は、会社ＩＤ３１の商品卸会社のＦＡＸ番号である。メールアドレス３７は、会社ＩＤ３１の商品卸会社のメールアドレスである。
【００３８】
図４（ｂ）に示すように、認証テーブル４０は、ユーザＩＤ４１と、会社ＩＤ４２と、パスワード４３と、の項目を有する。
【００３９】
ユーザＩＤ４１は、サーバ１０へのログインユーザの識別情報である。会社ＩＤ４２は、ユーザＩＤ４１のユーザの所属先又は購入先の商品卸会社の識別情報である。パスワード４３は、ユーザＩＤ４１に対応するログイン認証用のパスワードである。
【００４０】
レコード４０ａは、ユーザが商品卸会社の管理者である場合のレコードである。レコード４０ｂは、ユーザが営業担当者である場合のレコードである。レコード４０ｃは、ユーザが得意先である場合のレコードである。このように、ユーザＩＤ４１における商品卸会社の管理者、得意先及び営業担当者のユーザＩＤは、商品注文システム１内でユニークなＩＤにされているものとする。
【００４１】
図４（ｃ）に示すように、担当者テーブル５０は、会社ＩＤ５１と、担当者コード５２と、担当者名５３と、メールアドレス５４と、担当者ＩＤ５５と、の項目を有する。
【００４２】
会社ＩＤ５１は、商品卸会社の識別情報である。担当者コード５２は、会社ＩＤ５１の商品卸会社内での営業担当者の識別情報である。担当者名５３は、担当者コード５２の営業担当者の名前である。メールアドレス５４は、担当者コード５２の営業担当者のメールアドレスである。担当者ＩＤ５５は、商品注文システム１内での担当者コード５２の営業担当者の識別情報である。
【００４３】
図５（ａ）に示すように、得意先テーブル６０は、会社ＩＤ６１と、得意先コード６２と、得意先名６３と、メールアドレス６４と、得意先ＩＤ６５と、担当者ＩＤ６６と、の項目を有する。
【００４４】
会社ＩＤ６１は、商品卸会社の識別情報である。得意先コード６２は、会社ＩＤ６１の商品卸会社内での得意先の識別情報である。得意先名６３は、得意先コード６２の得意先の名前である。メールアドレス６４は、得意先コード６２の得意先のメールアドレスである。得意先ＩＤ６５は、商品注文システム１内での得意先コード６２の得意先の識別情報である。担当者ＩＤ６６は、商品注文システム１内での得意先コード６２の得意先を担当する営業担当者の識別情報である。
【００４５】
図５（ｂ）に示すように、商品テーブル７０は、会社ＩＤ７１と、商品コード７２と、品名７３と、単位名７４と、画像７５との項目を有する。
【００４６】
会社ＩＤ７１は、商品卸会社の識別情報である。商品コード７２は、会社ＩＤ６１の商品卸会社内での販売する商品の識別情報である。品名７３は、商品コード７２の商品の名前である。単位名７４は、商品コード７２の商品の注文単位の名称である。画像７５は、商品コード７２の商品の画像が記憶されている記憶部１５の記憶場所を示す情報である。
【００４７】
図５（ｃ）に示すように、定番商品テーブル８０は、会社ＩＤ８１と、得意先コード８２と、行番号８３と、商品コード８４と、単位名８５と、発注数８６と、備考８７と、の項目を有する。
【００４８】
会社ＩＤ８１は、商品卸会社の識別情報である。得意先コード８２は、会社ＩＤ８１の商品卸会社内での得意先の識別情報である。行番号８３は、会社ＩＤ８１の商品卸会社及び得意先コード８２の得意先に対応する注文入力画面の商品情報表示欄での商品コード８４の定番商品の商品情報表示の行番号である。商品コード８４は、会社ＩＤ８１の商品卸会社及び得意先コード８２の得意先に対応する定番商品の識別情報である。単位名８５は、商品コード８４の定番商品の注文単位名である。発注数８６は、商品コード８４の定番商品の発注数である。備考８７は、商品コード８４の定番商品に関する備考の情報である。備考８７は、例えば、商品コード８４の定番商品のサイズ等である。
【００４９】
定番商品の情報は、定番商品の商品コード等である。本実施の形態では、定番商品テーブル８０において、１つの得意先（得意先コード８２）に１パターンの定番商品（商品コード８４）が対応付けられるものとする。１パターンの定番商品は、少なくとも１つの定番商品を含む。１パターンの定番商品の商品情報は、１つの注文入力画面に表示される。
【００５０】
次に、図６〜図１２を参照して、商品注文システム１の動作を説明する。
図６は、端末装置２０で実行されるブラウザ処理を示すフローチャートである。
図７は、サーバ１０で実行される第１の注文入力画面表示処理を示すフローチャートである。
図８は、ログイン画面３１０を示す図である。
図９は、得意先選択画面３２０を示す図である。
図１０は、注文入力画面３３０を示す図である。
図１１は、サーバ１０で実行される第１の定番商品保存処理を示すフローチャートである。
図１２は、商品追加画面３５０を示す図である。
【００５１】
先ず、図６を参照して、端末装置２０で実行されるブラウザ処理を説明する。ブラウザ処理は、サーバ１０から受信した表示情報を表示するとともに、当該表示情報に対応してユーザ（営業担当者又は得意先）からの操作入力を受け付けてその操作情報をサーバ１０に送信する処理である。
【００５２】
端末装置２０において、操作部２２を介してユーザからブラウザ処理の実行指示が入力されたことをトリガとして、ＣＰＵ２１は、記憶部２５から読み出されて適宜ＲＡＭ２３に展開されたブラウザプログラム２５１との協働で、ブラウザ処理を実行する。ここでのユーザは、得意先又は営業担当者であるものとする。
【００５３】
図６に示すように、先ず、ＣＰＵ２１は、操作部２２を介してユーザから表示情報に対応する各種操作入力があるか否かを判別する（ステップＳ１１）。各種操作入力は、表示画面に対応する操作入力や、ブラウザの終了の指示操作である。
【００５４】
操作入力がある場合（ステップＳ１１；ＹＥＳ）、ＣＰＵ２１は、ステップＳ１１で入力された操作情報がブラウザの終了であるか否かを判別する（ステップＳ１２）。ブラウザの終了である場合（ステップＳ１２；ＹＥＳ）、ブラウザ処理が終了する。
【００５５】
ブラウザの終了でない場合（ステップＳ１２；ＮＯ）、ＣＰＵ２１は、通信部２６を介して、ステップＳ１１で入力された操作情報をサーバ１０に送信する（ステップＳ１３）。そして、ＣＰＵ２１は、通信部２６を介して、表示情報をサーバ１０から受信したか否かを判別する（ステップＳ１４）。
【００５６】
操作入力がない場合（ステップＳ１１；ＮＯ）、ステップＳ１４に移行される。表示情報をサーバ１０から受信していない場合（ステップＳ１４；ＮＯ）、ステップＳ１１に移行される。表示情報をサーバ１０から受信した場合（ステップＳ１４；ＹＥＳ）、ＣＰＵ２１は、ステップＳ１４で受信した表示情報を表示部２４のブラウザのウインドウ内に表示し（ステップＳ１５）、ステップＳ１１に移行する。
【００５７】
ステップＳ１３で送信される具体的な操作情報と、ステップＳ１５で表示される具体的な表示情報とは、後述するサーバ１０の第１の注文入力画面表示処理及び第１の定番商品保存処理の説明とともに説明する。
【００５８】
次いで、図７〜図９を参照して、サーバ１０で実行される第１の注文入力画面表示処理を説明する。第１の注文入力画面表示処理は、ログインしたユーザに対応する定番商品情報を含む注文入力画面情報を端末装置２０に送信して、端末装置２０に注文入力画面を表示させる処理である。
【００５９】
サーバ１０において、通信部１６を介して端末装置２０から、ブラウザ処理のステップＳ１３の操作情報としてログイン要求を受信したことをトリガとして、ＣＰＵ１１は、記憶部１５から読み出されて適宜ＲＡＭ１３に展開された第１の注文入力画面表示プログラム１５１との協働で、第１の注文入力画面表示処理を実行する。ログイン要求は、例えば、ログイン画面のＵＲＬ（Uniform Resource Locator）情報である。
【００６０】
図７に示すように、先ず、ＣＰＵ１１は、ログイン画面情報を生成し、生成したログイン画面情報を、通信部１６を介して、ブラウザ処理のステップＳ１５の表示情報として、ログイン要求元の端末装置２０に送信し、端末装置２０にログイン画面３１０を表示させる（ステップＳ２１）。
【００６１】
図８に示すように、ステップＳ２１によりサーバ１０から送信されたログイン画面情報に基づいて、ログイン画面３１０が端末装置２０に表示される。ログイン画面３１０は、ユーザＩＤ入力欄３１１と、パスワード入力欄３１２と、を有する。端末装置２０において、ユーザＩＤ入力欄３１１に入力されたユーザＩＤと、パスワード入力欄３１２に入力されたパスワードとが、操作部２２を介して操作入力され、ブラウザ処理のステップＳ１３の操作情報としてサーバ１０に送信される。
【００６２】
そして、ＣＰＵ１１は、端末装置２０から送信されたユーザＩＤ及びパスワードを、通信部１６を介して受信する（ステップＳ２２）。そして、ＣＰＵ１１は、記憶部１５に記憶された認証テーブル４０を参照し、ステップＳ２２で受信したユーザＩＤ及びパスワードが認証テーブル４０のレコードから検索されるか否かに応じてログイン認証を行う（ステップＳ２３）。ステップＳ２３では、受信したユーザＩＤ及びパスワードに対応するユーザＩＤ４１及びパスワード４３のレコードが検索され、そのレコードに記憶されている会社ＩＤ４２が読み出されて取得される。
【００６３】
そして、ＣＰＵ１１は、ステップＳ２３でログイン認証ＯＫか否かを判別する（ステップＳ２４）。ログイン認証がＮＧである場合（ステップＳ２４；ＮＯ）、ＣＰＵ１１は、ログインエラー処理を行い（ステップＳ２５）、ステップＳ２１に移行する。ログインエラー処理は、例えば、次にステップＳ２１で送信するログイン画面情報に、ログインエラーメッセージの情報を含むように設定する処理である。
【００６４】
ログイン認証がＯＫである場合（ステップＳ２４；ＹＥＳ）、ＣＰＵ１１は、記憶部１５に記憶された担当者テーブル５０を参照し、ステップＳ２２で受信したユーザＩＤが、営業担当者に対応するか否かを判別する（ステップＳ２６）。ステップＳ２６では、ユーザＩＤが、ステップＳ２３で取得された会社ＩＤ５１に対応する担当者ＩＤ５５に対応するか否かが判別される。ユーザＩＤが、担当者ＩＤで無い場合に、得意先ＩＤであるものとする。
【００６５】
受信したユーザＩＤが営業担当者に対応する場合（ステップＳ２６；ＹＥＳ）、ＣＰＵ１１は、記憶部１５に記憶された得意先テーブル６０を参照し、受信したユーザＩＤの営業担当者に対応する得意先選択画面情報を生成し、生成した得意先選択画面情報を、通信部１６を介して、ブラウザ処理のステップＳ１５の表示情報として、ログイン元の端末装置２０に送信し、端末装置２０に得意先選択画面３２０を表示させる（ステップＳ２７）。得意先選択画面情報は、選択対象として、受信したユーザＩＤの担当者ＩＤ６６に対応する得意先ＩＤ６５及び得意先名６３を含む。
【００６６】
図９に示すように、ステップＳ２７によりサーバ１０から送信された得意先選択画面情報に基づいて、得意先選択画面３２０が端末装置２０に表示される。得意先選択画面３２０は、受信したユーザＩＤの営業担当者の担当者ＩＤ６６に対応する得意先名６３及び得意先ＩＤ６５を含む得意先選択欄３２１を有する。端末装置２０において、得意先選択欄３２１の１つの得意先が、操作部２２を介して選択操作され、その得意先選択情報が、ブラウザ処理のステップＳ１３の操作情報としてサーバ１０に送信される。
【００６７】
そして、ＣＰＵ１１は、通信部１６を介して端末装置２０から送信された得意先選択情報を受信する（ステップＳ２８）。そして、ＣＰＵ１１は、記憶部１５に記憶された定番商品テーブル８０を参照し、受信したユーザＩＤの得意先、又はステップＳ２８で選択された得意先の定番商品があるか否かを判別する（ステップＳ２９）。ステップＳ２９では、定番商品テーブル８０において、受信したＩＤの得意先、又は選択された得意先の得意先コード８２に対応する定番商品の商品コード８４があるか否かが判別される。
【００６８】
受信したユーザＩＤが得意先に対応する場合（ステップＳ２６；ＮＯ）、ステップＳ２９に移行される。得意先の定番商品がある場合（ステップＳ２９；ＹＥＳ）、ＣＰＵ１１は、記憶部１５に記憶された商品テーブル７０及び定番商品テーブル８０を参照し、注文入力画面情報に、ログインした営業担当者の得意先又はログインした得意先に対応する定番商品の商品情報を含めるように設定する（ステップＳ３０）。ステップＳ３０では、商品テーブル７０及び定番商品テーブル８０において、ステップＳ２３で取得された会社ＩＤ８１に対応するログインした営業担当者の得意先又はログインした得意先の得意先コード８２の定番商品の商品コード７１，８４に対応する品名７３、画像７５に対応する画像、単位名８５、発注数８６、備考８７が商品情報とされる。
【００６９】
そして、ＣＰＵ１１は、担当者テーブル５０、得意先テーブル６０、商品テーブル７０、定番商品テーブル８０を参照し、それらの情報を用いて注文入力画面情報を生成し、生成した注文入力画面情報を、通信部１６を介して、ブラウザ処理のステップＳ１５の表示情報として、ログイン元の端末装置２０に送信し、端末装置２０に注文入力画面３３０を表示させ（ステップＳ３１）、第１の注文入力画面表示処理を終了する。得意先の定番商品がない場合（ステップＳ２９；ＮＯ）、ステップＳ３１に移行される。
【００７０】
図１０に示すように、ステップＳ３１によりサーバ１０から送信された注文入力画面情報に基づいて、注文入力画面３３０が端末装置２０に表示される。注文入力画面３３０は、利用者表示欄３３１と、得意先選択ボタン３３２と、商品情報表示欄３３３と、商品追加ボタン３３４と、頁切替ボタン３３５と、削除ボタン３３６と、定番商品表示ボタン３３７と、発注数クリアボタン３３８と、定番商品保存ボタン３３９と、ログアウトボタン３４０と、注文確定ボタン３４１と、を有する。
【００７１】
注文入力画面３３０は、営業担当者がログインした場合の画面とする。利用者表示欄３３１は、得意先及びログインした営業担当者の名前（得意先名６３、担当者名５３）及び各ＩＤ（得意先ＩＤ６５、担当者ＩＤ６６）の表示欄である。得意先選択ボタン３３２は、注文入力画面３３０の表示後に、ステップＳ２７，Ｓ２８と同様に、得意先画面情報を端末装置２０に表示して得意先の変更選択入力を行わせるための操作ボタンである。
【００７２】
商品情報表示欄３３３は、発注する商品の商品情報の操作入力を受け付け且つ表示する表示欄である。入力される商品情報は、商品に対応する画像７５の画像、品名７３、単位名７４、単位名７４での発注数、発注用の備考である。また、商品情報表示欄３３３には、定番商品が登録されている場合に、定番商品の商品情報がデフォルト表示される。
【００７３】
定番商品の商品情報は、ログインした得意先の得意先コード８２の定番商品の商品コード８４に対応する画像７５の画像、品名７３、単位名８５、発注数８６、備考８７である。定番商品を発注するときは、定番商品の発注数、備考を編集入力するだけでよい。また、商品情報表示欄３３３は、１頁の商品情報の行数（商品の数）の上限が固定されており、複数頁を有することも可能である。また、商品情報表示欄３３３は、商品の少なくとも１つをチェックして選択することが可能である。
【００７４】
商品追加ボタン３３４は、商品情報表示欄３３３にない商品を発注する場合に、新たな商品を商品情報表示欄３３３に追加するためのボタンである。頁切替ボタン３３５は、商品情報表示欄３３３の頁切替を行うためのボタンである。削除ボタン３３６は、商品情報表示欄３３３のチェックが付けられた商品の商品情報を削除するためのボタンである。
【００７５】
定番商品表示ボタン３３７は、商品情報表示欄３３３に、デフォルトの定番商品の商品情報を再表示するためのボタンである。発注数クリアボタン３３８は、商品情報表示欄３３３のチェックがつけられた商品の発注数をクリアするためのボタンである。
【００７６】
定番商品保存ボタン３３９は、商品情報表示欄３３３に表示されている商品を定番商品として登録するためのボタンである。ログアウトボタン３４０は、ログアウトするためのボタンである。注文確定ボタン３４１は、商品情報表示欄３３３に表示されている商品の商品情報で注文を確定し発注するためのボタンである。
【００７７】
得意先がログインした場合には、注文入力画面３３０において、利用者表示欄３３１で、ログインした得意先及びその営業担当者の名前（得意先名６３、担当者名５３）及びユーザＩＤ（担当者ＩＤ６６、得意先ＩＤ６５）の表示がなされる。また、この注文入力画面３３０において、得意先選択ボタン３３２は、表示されない。
【００７８】
次いで、図１１及び図１２を参照して、サーバ１０で実行される第１の定番商品保存処理を説明する。第１の定番商品保存処理は、第１の注文入力画面表示処理で表示された注文入力画面で、定番商品の設定及び保存を行う処理である。
【００７９】
サーバ１０において、第１の注文入力画面表示処理のステップＳ３１により注文入力画面情報が端末装置２０に送信されたことをトリガとして、ＣＰＵ１１は、記憶部１５から読み出されて適宜ＲＡＭ１３に展開された第１の定番商品保存プログラム１５２との協働で、第１の定番商品保存処理を実行する。
【００８０】
先ず、端末装置２０において、注文入力画面３３０の商品追加ボタン３３４のクリック入力による商品追加要求、又は削除ボタン３３６のクリック入力によるチェックされた商品の商品削除が、操作部２２を介して操作入力された場合に、その商品の追加要求又は削除情報が、ブラウザ処理のステップＳ１３の操作情報としてサーバ１０に送信される。削除情報には、削除する商品の品名を含む。
【００８１】
また、注文入力画面３３０の商品情報表示欄３３３に少なくとも１つの商品の商品情報が表示されている状態で、定番商品保存ボタン３３９のクリック入力による定番商品保存が、操作部２２を介して選択操作された場合に、その商品情報表示欄３３３の商品を定番商品とする定番商品保存情報が、ブラウザ処理のステップＳ１３の操作情報としてサーバ１０に送信される。定番商品保存情報は、定番商品とする商品の品名、行番号、単位名、発注数、備考を含む。
【００８２】
図１１に示すように、ＣＰＵ１１は、通信部１６を介して、端末装置２０から送信された商品の追加要求を受信したか否かを判別する（ステップＳ４１）。商品の追加要求を受信した場合（ステップＳ４１；ＹＥＳ）、ＣＰＵ１１は、記憶部１５に記憶された商品テーブル７０を参照し、商品テーブル７０のステップＳ２３で取得された会社ＩＤ７１に対応する商品のレコードを追加選択可能な商品追加画面情報を生成し、生成した商品追加画面情報を、通信部１６を介して、ブラウザ処理のステップＳ１５の表示情報として、ログイン元の端末装置２０に送信し、端末装置２０に商品追加画面３５０を表示させる（ステップＳ４２）。
【００８３】
図１２に示すように、ステップＳ４２によりサーバ１０から送信された商品追加画面情報に基づいて、商品追加画面３５０が端末装置２０に表示される。商品追加画面３５０は、商品情報表示欄３５１を有する。商品情報表示欄３５１は、追加対象の商品の品名７３、単位名７４、商品コード７２の項目を含む。商品情報表示欄３５１の追加する商品のレコードのクリック入力による商品の追加が、操作部２２を介して操作された場合に、その商品の商品追加情報が、ブラウザ処理のステップＳ１３の操作情報としてサーバ１０に送信される。商品追加情報は、商品の品名、行番号、単位名、発注数、備考を含む。
【００８４】
そして、ＣＰＵ１１は、通信部１６を介して、端末装置２０から送信された商品追加情報を受信する（ステップＳ４３）。そして、ＣＰＵ１１は、ステップＳ４５で送信する注文入力画面情報に、商品追加情報に対応する追加商品の商品情報を追加するように設定する（ステップＳ４４）。
【００８５】
そして、ＣＰＵ１１は、担当者テーブル５０、得意先テーブル６０、商品テーブル７０、定番商品テーブル８０を参照し、それらの情報を用いて注文入力画面情報を生成し、生成した注文入力画面情報を、通信部１６を介して、ブラウザ処理のステップＳ１５の表示情報として、ログイン元の端末装置２０に送信し、端末装置２０に注文入力画面３３０を表示させ（ステップＳ４５）、ステップＳ４１に移行する。
【００８６】
商品の追加要求を受信していない場合（ステップＳ４１；ＮＯ）、ＣＰＵ１１は、通信部１６を介して、端末装置２０から送信された商品削除情報を受信したか否かを判別する（ステップＳ４６）。商品削除情報を受信した場合（ステップＳ４６；ＹＥＳ）、ＣＰＵ１１は、ステップＳ４５で送信する注文入力画面情報に、商品削除情報に対応する削除商品の商品情報を削除するように設定し（ステップＳ４７）、ステップＳ４５に移行する。
【００８７】
商品削除情報を受信していない場合（ステップＳ４６；ＮＯ）、ＣＰＵ１１は、通信部１６を介して、端末装置２０から送信された定番商品保存情報を受信したか否かを判別する（ステップＳ４８）。定番商品保存情報を受信していない場合（ステップＳ４８；ＮＯ）、ステップＳ４１に移行される。
【００８８】
定番商品保存情報を受信した場合（ステップＳ４８；ＹＥＳ）、ＣＰＵ１１は、記憶部１５に記憶された得意先テーブル６０、定番商品テーブル８０を参照し、ステップＳ２３で取得された会社ＩＤ８１に対応し、ログインした営業担当者の担当者ＩＤ６６に対応する得意先コード８２、又はログインした得意先の得意先コード８２、に対応する定番商品の商品コード８４の有無に応じて、既存の定番商品があるか否かを判別する（ステップＳ４９）。既存の定番商品がある場合（ステップＳ４９；ＹＥＳ）、ＣＰＵ１１は、定番商品テーブル８０から、既存の定番商品の商品コード８４のレコードを削除する（ステップＳ５０）。
【００８９】
そして、ＣＰＵ１１は、記憶部１５に記憶された商品テーブル７０を参照し、ステップＳ２３で取得された会社ＩＤ８１に対応し、ログインした営業担当者の得意先、又はログインした得意先に対応する定番商品テーブル８０のレコードに、ステップＳ４８で受信した定番商品保存情報を追加し（ステップＳ５１）、ステップＳ４５に移行する。ステップ５１では、会社ＩＤ８１、得意先コード８２、行番号８３、商品コード８４、単位名８５、発注数８６、備考８７のレコードに、ステップＳ２３で取得された会社ＩＤ、ログインした営業担当者の得意先又はログインした得意先の得意先コード６２、定番商品保存情報の行番号、商品コード７２、単位名７４、発注数、備考が追加される。既存の定番商品がない場合（ステップＳ４９；ＮＯ）、ステップＳ５１に移行される。
【００９０】
次いで、第１の注文入力画面表示処理、第１の定番商品保存処理の具体的な実行の流れを説明する。一例として、営業担当者が、得意先の定番商品を設定していない状態、つまり、定番商品テーブル８０に定番商品の情報が設定されていない状態を考える。
【００９１】
この状態で先ず、営業担当者は、端末装置２０でブラウザ処理を実行し、サーバ１０で第１の注文入力画面表示処理が実行される。第１の注文入力画面表示処理において、ステップＳ２７，Ｓ２８が実行され、ステップＳ２９；ＮＯであるので、ステップＳ３１では、商品情報表示欄３３３に定番商品の商品情報が無い注文入力画面３３０が端末装置２０に表示される。そして、サーバ１０で第１の定番商品保存処理が実行され、得意先に対応する商品コード８４のレコードに、定番商品の商品情報が設定及び保存される。
【００９２】
そして、定番商品を設定した営業担当者が担当している得意先の顧客が、端末装置２０を操作してサーバ１０に接続し、端末装置２０でブラウザ処理を実行し、サーバ１０で第１の注文入力画面表示処理が実行される。第１の注文入力画面表示処理において、ステップＳ２７，Ｓ２８が実行されず、ステップＳ２９；ＹＥＳであるので、ステップＳ３１では、商品情報表示欄３３３に、設定された定番商品の商品情報を有する注文入力画面３３０が端末装置２０に表示される。
【００９３】
なお、ログインした得意先は、サーバ１０で実行される第１の定番商品保存処理により、自身で定番商品の商品情報を設定及び保存することも可能である。
【００９４】
また、端末装置２０で注文入力画面３３０が表示されている場合に、ユーザから操作部２２を介して注文する商品情報の編集入力がなされ、注文確定ボタン３４１がクリック入力されると、商品の品名、単位名、発注数、備考を含む商品発注情報がサーバ１０に送信される。サーバ１０は、商品発注情報を端末装置２０から受信して、商品の注文を受け付ける。サーバ１０のＣＰＵ１１は、例えば、通信部１６を介して、商品発注情報を受信すると、担当者テーブル５０、得意先テーブル６０を参照し、商品注文内容を含むメールを作成し、送信元に対応する得意先及び営業担当者のメールアドレス５４，６４に送信する。
【００９５】
以上、本実施の形態によれば、サーバ１０は、得意先と当該得意先を担当する営業担当者とを対応付けた得意先テーブル６０と、得意先と当該得意先が注文する定番商品の情報とを対応付けた定番商品テーブル８０と、を記憶部１５に記憶し、営業担当者の操作に応じて端末装置２０が通信接続した（営業担当者が端末装置２０からログインした）場合に、当該営業担当者に対応する得意先が注文する定番商品を設定するための設定画面情報としての注文入力画面情報を生成して営業担当者の端末装置２０に送信して表示させる。そして、サーバ１０は、営業担当者の端末装置２０で設定され、営業担当者の端末装置２０から送信された定番商品の商品情報を受信して定番商品テーブル８０に記憶する。そして、サーバ１０は、得意先の操作に応じて端末装置２０が通信接続した場合に、当該得意先に対応する定番商品の商品情報を定番商品テーブル８０から読み出し、当該定番商品の商品情報を含む注文入力画面情報を得意先の端末装置２０に送信して表示させる。
【００９６】
このため、得意先を担当する営業担当者が、当該得意先の端末装置２０に表示される注文入力画面にデフォルト表示される定番商品の商品情報を設定できる。得意先の顧客は、定番商品の情報を自ら設定しなくても、端末装置２０の注文入力画面に表示される定番商品の商品情報を参照してその発注数、備考を編集入力するだけで注文入力を行うことができ、注文入力を行う際の得意先の顧客の操作負担を低減することができる。
【００９７】
（第２の実施の形態）
図１３〜図１７を参照して、本発明に係る第２の実施の形態を説明する。第１の実施の形態では、１つの得意先に１パターンの定番商品を設定する構成であったが、第２の実施の形態では、１つの得意先に複数パターンの定番商品を設定可能な構成である。
【００９８】
第２の実施の形態の装置構成は、第１の実施の形態の商品注文システム１と同様である。但し、サーバ１０の記憶部１５には、第１の注文入力画面表示プログラム１５１、第１の定番商品保存プログラム１５２に代えて、第２の注文入力画面表示プログラム（図示略）、第２の定番商品保存プログラム（図示略）が記憶されているものとする。
【００９９】
次いで、図１３を参照して、記憶部１５に記憶されるテーブルを説明する。
図１３（ａ）は、定番商品テーブル８０ａの構成を示す図である。
図１３（ｂ）は、定番商品情報テーブル９０の構成を示す図である。
【０１００】
記憶部１５には、定番商品テーブル８０に代えて、定番商品テーブル８０ａ及び定番商品情報テーブル９０が記憶される。
図１３（ａ）に示すように、定番商品テーブル８０ａは、定番商品テーブル８０の項目と、定番コード８８の項目と、を有する。定番コード８８は、注文入力画面の商品情報表示欄に表示する定番商品のパターンの識別情報である。
【０１０１】
図１３（ｂ）に示すように、定番商品情報テーブル９０は、会社ＩＤ９１と、得意先コード９２と、定番コード９３と、定番商品保存名９４と、の項目を有する。
【０１０２】
会社ＩＤ９１、得意先コード９２、定番コード９３は、定番商品テーブル８０ａの会社ＩＤ８１と、得意先コード８２と、定番コード８８と同様である。定番商品保存名９４は、定番コード９３の定番商品のパターンの保存名である。
【０１０３】
次に、図１４〜図１７を参照して、本実施の形態の商品注文システム１の動作を説明する。
図１４は、サーバ１０で実行される第２の注文入力画面表示処理を示すフローチャートである。
図１５は、定番商品選択画面３６０を示す図である。
図１６は、サーバ１０で実行される第２の定番商品保存処理を示すフローチャートである。
図１７は、定番商品保存名入力画面３７０を示す図である。
【０１０４】
端末装置２０では、ブラウザ処理が実行されるものとする。先ず、図１４及び図１５を参照して、サーバ１０で実行される第２の注文入力画面表示処理を説明する。サーバ１０において、通信部１６を介して端末装置２０から、ブラウザ処理のステップＳ１３の操作情報としてログイン要求を受信したことをトリガとして、ＣＰＵ１１は、記憶部１５から読み出されて適宜ＲＡＭ１３に展開された第２の注文入力画面表示プログラムとの協働で、第２の注文入力画面表示処理を実行する。
【０１０５】
図１４に示すように、ステップＳ６１〜Ｓ６９は、第１の実施の形態の第１の注文入力画面表示処理のステップＳ２１〜Ｓ２９と同様である。得意先の定番商品がある場合（ステップＳ６９；ＹＥＳ）、ＣＰＵ１１は、記憶部１５に記憶された商品テーブル７０及び定番商品テーブル８０ａを参照し、ステップＳ７１で表示する注文入力画面情報に、対象の得意先に対応する先頭の定番商品の商品情報を含めるように設定する（ステップＳ７０）。先頭の定番商品の商品情報とは、最も小さい定番コード８８のレコードの定番商品の商品情報である。
【０１０６】
そして、ＣＰＵ１１は、担当者テーブル５０、得意先テーブル６０、商品テーブル７０、定番商品テーブル８０ａを参照し、それらの情報を用いて注文入力画面情報を生成し、生成した注文入力画面情報を、通信部１６を介して、ブラウザ処理のステップＳ１５の表示情報として、ログイン元の端末装置２０に送信し、端末装置２０に注文入力画面３３０を表示させる（ステップＳ７１）。得意先の定番商品がない場合（ステップＳ６９；ＮＯ）、ステップＳ７１に移行される。
【０１０７】
ステップＳ７１の処理により、図１０に示すように、注文入力画面３３０が端末装置２０に表示されるものとする。但し、本実施の形態において、定番商品表示ボタン３３７は、定番商品のパターンの変更を行うためのボタンであるものとする。端末装置２０において、定番商品表示ボタン３３７のクリック入力による定番商品のパターンの変更が、操作部２２を介して操作入力された場合に、その定番商品のパターンを選択するための定番商品選択要求が、ブラウザ処理のステップＳ１３の操作情報としてサーバ１０に送信される。
【０１０８】
そして、ＣＰＵ１１は、通信部１６を介して、定番商品選択要求を端末装置２０から受信したか否かを判別する（ステップＳ７２）。定番商品選択要求を受信していない場合（ステップＳ７２；ＮＯ）、ステップＳ７２に移行される。
【０１０９】
定番商品選択要求を受信した場合（ステップＳ７２；ＹＥＳ）、ＣＰＵ１１は、定番商品選択画面情報を生成し、生成した定番商品選択画面情報を、通信部１６を介して、ブラウザ処理のステップＳ１５の表示情報として、ログイン元の端末装置２０に送信し、端末装置２０に定番商品選択画面３６０を表示させる（ステップＳ７３）。
【０１１０】
ステップＳ７３の処理により、図１５に示すように、定番商品選択画面３６０が端末装置２０に表示される。定番商品選択画面３６０は、定番商品表示欄３６１と、移動ボタン３６２と、削除ボタン３６３と、キャンセルボタン３６４と、選択ボタン３６５と、を有する。定番商品表示欄３６１は、登録済の定番商品のパターンの定番商品保存名をリスト表示する。定番商品表示欄３６１の定番商品保存名をクリック入力することで選択が可能である。
【０１１１】
移動ボタン３６２は、定番商品表示欄３６１の選択した定番商品保存名を上下に移動するボタンである。定番商品表示欄３６１の上から下への順番が、定番商品テーブル８０ａ、定番商品情報テーブル９０の定番コード８８，９３の値の順番に反映される。定番商品保存名を選択して定番商品表示欄３６１の先頭に移動し保存すると、次回以降、その先頭の定番商品保存名の定番商品のパターンが注文入力画面３３０にデフォルト表示される。
【０１１２】
削除ボタン３６３は、定番商品表示欄３６１の選択した定番商品保存名を削除するボタンである。定番商品保存名の削除により、定番商品テーブル８０ａ、定番商品情報テーブル９０の定番商品保存名９４に対応するレコードが削除されるとともに、定番コード８８，９３の値が再編される。キャンセルボタン３６４は、定番商品表示欄３６１の選択中の定番商品保存名の選択をキャンセルするボタンである。
【０１１３】
選択ボタン３６５は、定番商品表示欄３６１の定番商品保存名の選択を確定するボタンである。端末装置２０において、選択ボタン３６５のクリック入力による定番商品のパターンの選択確定が、操作部２２を介して操作入力された場合に、定番商品選択情報が、ブラウザ処理のステップＳ１３の操作情報としてサーバ１０に送信される。定番商品選択情報には、定番商品表示欄３６１の選択確定した定番商品保存名の情報と、移動や削除した定番商品保存名の情報と、を含むものとする。
【０１１４】
そして、ＣＰＵ１１は、通信部１６を介して、定番商品選択情報を端末装置２０から受信し、定番商品選択情報の定番商品保存名の移動、削除の情報に応じて、定番商品テーブル８０ａ、定番商品情報テーブル９０のレコードを更新する（ステップＳ７４）。そして、ＣＰＵ１１は、商品テーブル７０、定番商品テーブル８０ａ、定番商品情報テーブル９０を参照し、ステップＳ７１で送信する注文入力画面情報に、定番商品選択情報の選択確定した定番商品保存名９４に対応する商品情報を含めるように設定し（ステップＳ７５）、ステップＳ７１に移行する。ステップＳ７５での商品情報は、選択された定番商品保存名９４の定番コード９３，８８に対応する商品コード８４の定番商品の品名７３、画像７５の画像、単位名８５、発注数８６、備考８７である。
【０１１５】
次いで、図１６及び図１７を参照して、サーバ１０で実行される第２の定番商品保存処理を説明する。第２の定番商品保存処理は、第２の注文入力画面表示処理で表示された注文入力画面で、定番商品の設定及び保存を行う処理である。
【０１１６】
サーバ１０において、第２の注文入力画面表示処理のステップＳ７１により注文入力画面情報が端末装置２０に送信されたことをトリガとして、ＣＰＵ１１は、記憶部１５から読み出されて適宜ＲＡＭ１３に展開された第２の定番商品保存プログラムとの協働で、第２の定番商品保存処理を実行する。
【０１１７】
図１６に示すように、ステップＳ８１〜Ｓ８８は、第１の定番商品保存処理のステップＳ４１〜Ｓ４８と同様である。定番商品保存情報を受信した場合（ステップＳ８８；ＹＥＳ）、ＣＰＵ１１は、定番商品保存名入力画面情報を生成し、生成した定番商品保存名入力画面情報を、通信部１６を介して、ブラウザ処理のステップＳ１５の表示情報として、ログイン元の端末装置２０に送信し、端末装置２０に定番商品保存名入力画面３７０を表示させる（ステップＳ８９）。
【０１１８】
ステップＳ８９の処理により、図１７に示すように、定番商品保存名入力画面３７０が端末装置２０に表示される。定番商品保存名入力画面３７０は、定番商品保存名入力欄３７１と、キャンセルボタン３７２と、登録ボタン３７３と、を有する。定番商品保存名入力欄３７１は、定番商品のパターンの保存名である定番商品保存名の入力欄である。キャンセルボタン３７２は、定番商品保存名入力欄３７１の定番商品保存名入力をキャンセルするためのボタンである。登録ボタン３７３は、定番商品保存名入力欄３７１に入力した定番商品保存名を登録するためのボタンである。
【０１１９】
端末装置２０において、登録ボタン３７３のクリック入力による定番商品保存名入力欄３７１に入力した定番商品保存名の登録が、操作部２２を介して操作入力された場合に、その定番商品のパターンを選択するための定番商品登録情報が、ブラウザ処理のステップＳ１３の操作情報としてサーバ１０に送信される。定番商品登録情報は、定番商品保存名を含む。定番商品保存名は、例えば、「平日用」、「土曜日用」、「日曜日用」等の曜日や、月、季節等を示すものが設定される。
【０１２０】
そして、ＣＰＵ１１は、通信部１６を介して、定番商品登録情報を端末装置２０から受信したか否かを判別する（ステップＳ９０）。キャンセルボタン３７２のクリック入力により、定番商品登録情報を受信していない場合（ステップＳ９０；ＮＯ）、ステップＳ８５に移行される。
【０１２１】
定番商品登録情報を受信した場合（ステップＳ９０；ＹＥＳ）、ＣＰＵ１１は、記憶部１５に記憶された定番商品テーブル８０ａ、定番商品情報テーブル９０を参照し、ログインした営業担当者又は得意先に対応する会社ＩＤ８１，９１及び得意先コード８２，９２の定番コード８８，９３に最小の新たな定番コードのレコードを追加し、そのレコードに、定番商品登録情報及び定番商品保存情報の商品情報を追加し（ステップＳ９１）、ステップＳ８５に移行する。より具体的には、定番商品登録情報の定番商品の定番商品保存名、定番商品保存情報の商品情報の行番号、品名の商品コード、単位名、発注数、備考が、新たなレコードの定番商品保存名９４、行番号８３、商品コード８４、単位名８５、発注数８６、備考８７に追加される。定番コード８８，９３は、新たな定番商品のパターンの商品情報追加に応じて、適宜再編される。なお、ステップＳ９１の新たな定番コードは、最小の値以外のものにする構成としてもよい。
【０１２２】
次いで、第２の注文入力画面表示処理、第２の定番商品保存処理の具体的な実行の流れを説明する。一例として、営業担当者が、得意先の定番商品を設定していない状態、つまり、定番商品テーブル８０ａの定番商品の情報が設定されていない状態を考える。
【０１２３】
この状態で先ず、営業担当者は、端末装置２０でブラウザ処理を実行し、サーバ１０で第２の注文入力画面表示処理が実行される。第２の注文入力画面表示処理において、ステップＳ６７，Ｓ６８が実行され、ステップＳ６９；ＮＯであるので、ステップＳ７１では、商品情報表示欄３３３に定番商品の商品情報が無い注文入力画面３３０が端末装置２０に表示される。そして、サーバ１０で第２の定番商品保存処理が実行され、定番商品テーブル８０ａ、定番商品情報テーブル９０において、得意先に対応する新たな定番コード８８，９３のレコードに、定番商品のパターンの定番商品保存名、商品情報が設定される。このとき、ステップＳ７２〜７５により、営業担当者は、デフォルト表示用の定番商品のパターンの定番商品保存名を選択し、その商品情報を定番コード８８，９３を最小にして定番商品テーブル８０ａ、定番商品情報テーブル９０に記憶及び設定してもよい。
【０１２４】
そして、定番商品を設定した営業担当者の得意先が、端末装置２０でブラウザ処理を実行し、サーバ１０で第２の注文入力画面表示処理が実行される。第２の注文入力画面表示処理において、ステップＳ６７，Ｓ６８が実行されず、ステップＳ６９；ＹＥＳであるので、ステップＳ７１では、商品情報表示欄３３３に、定番商品テーブル８０ａの定番コード８８が先頭の定番商品のパターンの商品情報を有する注文入力画面３３０が端末装置２０に表示される。
【０１２５】
その後、ステップＳ７２〜Ｓ７５により、得意先が、商品情報を表示する定番商品のパターンの定番商品保存名を選択でき、その定番商品のパターンの商品情報を有する注文入力画面３３０を端末装置２０に表示させることもできる。なお、営業担当者は、ステップＳ７２〜Ｓ７５により、商品情報を表示する定番商品のパターンの定番商品保存名を選択することも可能である。
【０１２６】
以上、本実施の形態によれば、サーバ１０は、１つの顧客に複数パターンの定番商品を設定できるように、営業担当者の操作に応じて営業担当者の端末装置２０が通信接続した場合に、当該営業担当者に対応する顧客が注文する定番商品のパターンを複数設定するための設定画面情報としての注文入力画面情報を営業担当者の端末装置２０に送信して表示させる。そして、サーバ１０は、営業担当者の端末装置２０で設定された定番商品のパターンの情報を複数受信して記憶部１５の定番商品テーブル８０ａ、定番商品情報テーブル９０に記憶する。そして、サーバ１０は、得意先に対応する複数の定番商品のパターンの情報を定番商品テーブル８０ａ、定番商品情報テーブル９０から読み出し、当該複数の定番商品のパターンの情報から表示する定番商品のパターンの情報を選択するための第１の選択画面情報としての定番商品選択画面情報を生成して得意先の端末装置２０に送信して表示させる。
【０１２７】
このため、得意先に関する営業担当者が、当該得意先の注文入力画面に表示するための複数の定番商品のパターンの情報を設定できる。得意先は、複数の定番商品のパターンの情報から任意の定番商品のパターンの情報を選択して表示できる。
【０１２８】
また、サーバ１０は、営業担当者に対応付けられて記憶された得意先のデフォルト表示の定番商品のパターンの情報を選択するための第２の選択画面情報としての定番商品選択画面情報を営業担当者の端末装置２０に送信して表示させる。そして、サーバ１０は、送信された定番商品選択画面情報を受信した営業担当者の端末装置２０で設定され、営業担当者の端末装置２０から送信された得意先のデフォルト表示の定番商品のパターンの選択情報を受信し、当該選択情報に応じて、当該得意先のデフォルト表示の定番商品のパターンの選択情報を最小の定番コードとして定番商品テーブル８０ａ、定番商品情報テーブル９０に記憶する。
【０１２９】
そして、サーバ１０は、得意先の操作に応じて得意先の端末装置２０が通信接続（ログイン）した場合に、当該得意先のデフォルト表示の定番商品のパターンの選択情報を定番商品テーブル８０ａから読み出し、当該デフォルト表示の定番商品のパターンの選択情報を含む注文入力画面情報を得意先の端末装置２０に送信する。このため、営業担当者は、デフォルト表示する定番商品のパターンの情報を自在に選択設定できる。
【０１３０】
（変形例）
図１８〜図２０を参照して、第２の実施の形態の変形例を説明する。第２の実施の形態では、１つの得意先に複数パターンの定番商品を設定し、その１つのパターンを選択してその商品情報を注文入力画面に表示する構成であったが、第２の実施形態の変形例では、１つの得意先に複数パターンの定番商品を設定すると共に、表示日時条件を満たす定番商品のパターンの商品情報を注文入力画面に表示する構成である。
【０１３１】
図１８は、定番商品情報テーブル９０ａを示す図である。第２の実施形態の変形例の装置構成は、第２の実施の形態の商品注文システム１と同様である。但し、サーバ１０の記憶部１５には、定番商品情報テーブル９０に代えて、図１８に示す定番商品情報テーブル９０ａが記憶されている。
【０１３２】
定番商品情報テーブル９０ａは、定番商品情報テーブル９０の各項目と、日時条件９５、日時条件（日）９６、日時条件（月）９７、日時条件（火）９８、日時条件（水）９９、日時条件（木）１００、日時条件（金）１０１、日時条件（土）１０２、日時条件（開始日）１０３、日時条件（終了日）１０４、日時条件（開始時刻）１０５、日時条件（終了時刻）１０６の項目と、を更に有する。
【０１３３】
日時条件９５は、定番商品に設定されている表示日時条件の種類を示す情報である。日時条件９５が、「１」で曜日に関する表示日時条件が設定されており、「２」で期間に関する表示日時条件が設定されており、「３」で時間に関する表示日時条件が設定されており、「０」で表示日時条件が設定されていないことを示す。
【０１３４】
日時条件（日）９６、日時条件（月）９７、日時条件（火）９８、日時条件（水）９９、日時条件（木）１００、日時条件（金）１０１、日時条件（土）１０２は、各曜日に定番商品の表示をするか否かの情報である。日時条件（曜日）９６〜１０２は、「１」で表示日時条件の設定がオンされており、「０」で表示日時条件の設定がオフされている。
【０１３５】
日時条件（開始日）１０３は、定番商品の表示をする開始日の情報である。日時条件（終了日）１０４は、定番商品の表示をする終了日の情報である。日時条件（開始時刻）１０５は、定番商品の表示をする開始時刻の情報である。日時条件（終了時刻）１０４は、定番商品の表示をする終了時刻の情報である。
【０１３６】
次に、図１９及び図２０を参照して、第２の実施形態の変形例の商品注文システム１の動作を説明する。
図１９は、サーバ１０で実行される第２の注文入力画面表示処理の変形例の一部を示すフローチャートである。
図２０は、定番商品保存名及び表示日時条件入力画面３８０を示す図である。
【０１３７】
先ず、図１９を参照して、サーバ１０で実行される第２の注文入力画面表示処理の変形例を説明する。第２の注文入力画面表示処理の変形例は、図１４の第２の注文入力画面表示処理のステップＳ６９，Ｓ７０を、図１９のステップＳ１０１〜Ｓ１０６に代えた処理である。この代えた部分についてのみ説明する。
【０１３８】
ステップＳ６８の後、又は受信したユーザＩＤが得意先に対応する場合（ステップＳ６６；ＮＯ）、ＣＰＵ１１は、ループカウンタの変数ｉに初期値の１を代入する（ステップＳ１０１）。そして、ＣＰＵ１１は、記憶部１５に記憶された定番商品情報テーブル９０ａを参照し、ログインした営業担当者又は得意先に対応する得意先コード９２の定番コード９３について、先頭からｉ番目のレコードがあるか否かを判別する（ステップＳ１０２）。
【０１３９】
ｉ番目の定番コード９３のレコードがある場合（ステップＳ１０２；ＹＥＳ）、ＣＰＵ１１は、ｉ番目の定番コード９３のレコードの表示日時条件９５〜１０６を読み出して取得する（ステップＳ１０３）。そして、ＣＰＵ１１は、計時部１７から現在日時情報を取得し、現在日時情報がステップＳ１０３で取得した表示日時条件９５〜１０６の範囲内であるか否かを判別する（ステップＳ１０４）。
【０１４０】
表示日時条件９５〜１０６の範囲内でない場合（ステップＳ１０４；ＮＯ）、ＣＰＵ１１は、変数ｉを１インクリメントし（ステップＳ１０５）、ステップＳ１０２に移行する。表示日時条件９５〜１０６の範囲内である場合（ステップＳ１０４；ＹＥＳ）、ＣＰＵ１１は、記憶部１５に記憶された定番商品テーブル８０ａを参照し、注文入力画面情報に、ログインした営業担当者又は得意先に対応するｉ番目の定番コード８８に対応する定番商品の商品情報を含めるように設定し（ステップＳ１０６）、ステップＳ７１に移行する。ｉ番目の定番コード９３のレコードがない場合（ステップＳ１０２；ＮＯ）、ステップＳ７１に移行される。
【０１４１】
次いで、図２０を参照して、サーバ１０で実行される第２の定番商品保存処理の変形例を説明する。第２の定番商品保存処理の変形例は、図１６の第２の定番商品保存処理のステップＳ８９〜Ｓ９１を変更したものであり、変更した部分を説明する。
【０１４２】
本変形例の第２の定番商品保存処理のステップＳ８９において、ＣＰＵ１１は、定番商品保存名及び表示日時条件入力画面情報を生成し、通信部１６を介して、ブラウザ処理のステップＳ１５の表示情報として、ログイン元の端末装置２０に送信し、定番商品保存名及び表示日時条件入力画面を表示させる。
【０１４３】
本変形例におけるステップＳ８９の処理により、図２０に示すように、定番商品保存名及び表示日時条件入力画面３８０が端末装置２０に表示される。定番商品保存名及び表示日時条件入力画面３８０は、定番商品保存名入力欄３８１と、表示日時条件入力欄３８２と、キャンセルボタン３８３と、登録ボタン３８４と、を有する。定番商品保存名入力欄３８１は、定番商品保存名の入力欄である。表示日時条件入力欄３８２は、定番商品の表示日時条件の入力欄である。キャンセルボタン３８３は、定番商品保存名入力欄３８１、表示日時条件入力欄３８２の定番商品保存名及び表示日時条件の入力をキャンセルするためのボタンである。登録ボタン３８４は、定番商品保存名入力欄３８１、表示日時条件入力欄３８２に入力した定番商品保存名及び表示日時条件を登録するためのボタンである。
【０１４４】
端末装置２０において、登録ボタン３８４のクリック入力による定番商品保存名入力欄３８１、表示日時条件入力欄３８２に入力した定番商品保存名及び表示日時条件の登録が、操作部２２を介して操作入力された場合に、その定番商品のパターンを選択するための定番商品登録情報が、ブラウザ処理のステップＳ１３の操作情報としてサーバ１０に送信される。定番商品登録情報は、定番商品保存名及び表示日時条件を含む。
【０１４５】
ステップＳ９１では、ＣＰＵ１１は、記憶部１５に記憶された定番商品テーブル８０ａ、定番商品情報テーブル９０ａを参照し、ログインした営業担当者又は得意先に対応する会社ＩＤ８１，９１及び得意先コード８２，９２の定番コード８８，９３に最小の新たな定番コードのレコードを追加し、そのレコードに、定番商品登録情報及び定番商品保存情報の商品情報を追加する。より具体的には、定番商品登録情報の定番商品の定番商品保存名、表示日時条件と、定番商品保存情報の定番商品保存情報の行番号、品名の商品コード、単位名、発注数、備考とが、新たなレコードの定番商品保存名９４、表示日時条件９５〜１０６、行番号８３、商品コード８４、単位名８５、発注数８６、備考８７に追加される。
【０１４６】
以上、本変形例によれば、サーバ１０は、営業担当者に対応付けられて記憶された得意先の定番商品の情報及び表示日時条件を設定するための第２の設定画面情報としての注文入力画面情報、定番商品保存名及び表示日時条件入力画面情報を営業担当者の端末装置２０に送信して表示させる。そして、サーバ１０は、送信された注文入力画面情報、定番商品保存名及び表示日時条件入力画面情報を受信した営業担当者の端末装置２０で設定され、当該営業担当者の端末装置２０から送信された得意先の定番商品の情報及び表示日時条件を受信して記憶部１５の定番商品テーブル８０ａ、定番商品情報テーブル９０ａに記憶する。そして、サーバ１０は、得意先に対応する定番商品の情報及び表示日時条件を定番商品テーブル８０ａ、定番商品情報テーブル９０ａから読み出し、現在日時情報が当該表示日時条件を満たすか否かを判別し、満たす場合に、当該定番商品の情報を含む注文入力画面を表示するための第２の注文入力画面情報を生成して得意先の端末装置２０に送信して表示させる。
【０１４７】
このため、得意先を担当する営業担当者が、当該得意先の注文入力画面にデフォルト表示するための定番商品の情報及びその表示日時条件を設定できる。得意先は、現在日時情報が表示日時条件を満たす適切な定番商品の情報を参照できる。
【０１４８】
以上の説明では、本発明に係るプログラムのコンピュータ読み取り可能な媒体として記憶部１５（ハードディスク）を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【０１４９】
なお、上記実施の形態における記述は、本発明に係る表示制御装置及びプログラムの一例であり、これに限定されるものではない。
【０１５０】
例えば、上記各実施の形態及び変形例では、商品卸会社毎に注文入力画面情報が同様のレイアウトである構成としたが、これに限定されるものではない。商品卸会社毎に注文入力画面情報等の表示情報が異なるレイアウトである構成としてもよい。
【０１５１】
また、上記実施の形態における商品注文システム１の各構成要素の細部構成及び細部動作に関しては、本発明の趣旨を逸脱することのない範囲で適宜変更可能であることは勿論である。
【０１５２】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ネットワークを介して複数の端末装置に接続される表示制御装置であって、
顧客と当該顧客を担当する営業担当者とを対応付けて記憶する第１の記憶手段と、
前記顧客と前記顧客が注文する定番商品の情報とを対応付けて記憶する第２の記憶手段と、
前記営業担当者の操作に応じて第１の端末装置が通信接続した場合に、当該営業担当者に対応する顧客が注文する前記定番商品を設定するための設定画面情報を前記第１の端末装置に送信する第１の送信手段と、
前記第１の送信手段により送信された前記設定画面情報を受信した前記第１の端末装置で設定され、前記第１の端末装置から送信された前記定番商品の商品情報を受信して前記第２の記憶手段に記憶する記憶制御手段と、
前記顧客の操作に応じて第２の端末装置が通信接続した場合に、当該顧客に対応する前記定番商品の商品情報を前記第２の記憶手段から読み出し、前記定番商品の商品情報を含む注文入力画面情報を前記第２の端末装置に送信する第２の送信手段と、
を備える表示制御装置。
＜請求項２＞
前記第１の送信手段は、１つの顧客に複数パターンの定番商品を設定できるように、前記営業担当者の操作に応じて第１の端末装置が通信接続した場合に、当該営業担当者に対応する顧客が注文する前記定番商品のパターンを複数設定するための設定画面情報を前記第１の端末装置に送信し、
前記記憶制御手段は、前記第１の端末装置で設定された前記定番商品のパターンの情報を複数受信して前記第２の記憶手段に記憶し、
前記第２の送信手段は、前記顧客に対応する複数の定番商品のパターンの情報を前記第２の記憶手段から読み出し、当該複数の定番商品のパターンの情報から表示する定番商品のパターンの情報を選択するための第１の選択画面情報を前記第２の端末装置に送信する請求項１に記載の表示制御装置。
＜請求項３＞
前記第１の送信手段は、前記営業担当者に対応付けられて前記第１の記憶手段に記憶された顧客の前記定番商品のパターンの情報を選択するための第２の選択画面情報を前記第１の端末装置に送信し、
前記記憶制御手段は、前記第１の送信手段により送信された前記第２の選択画面情報を受信した前記第１の端末装置で設定され、前記第１の端末装置から送信された前記顧客の前記定番商品のパターンの選択情報を受信し、当該選択情報に応じて、当該顧客の前記定番商品のパターンの選択情報を前記第２の記憶手段に記憶し、
前記第２の送信手段は、前記顧客の操作に応じて前記第２の端末装置が通信接続した場合に、当該顧客の前記定番商品のパターンの選択情報を前記第２の記憶手段から読み出し、前記定番商品のパターンの選択情報を含む前記注文入力画面情報を前記第２の端末装置に送信する請求項２に記載の表示制御装置。
＜請求項４＞
前記第１の送信手段は、前記営業担当者に対応付けられて前記第１の記憶手段に記憶された顧客の定番商品の情報及び表示日時条件を設定するための第２の設定画面情報を前記第１の端末装置に送信し、
前記記憶制御手段は、前記第１の送信手段により送信された前記第２の設定画面情報を受信した前記第１の端末装置で設定され、前記第１の端末装置から送信された前記顧客の定番商品の情報及び表示日時条件を受信して前記第２の記憶手段に記憶し、
前記第２の送信手段は、前記顧客に対応する定番商品の情報及び表示日時条件を前記第２の記憶手段から読み出し、現在日時情報が当該表示日時条件を満たすか否かを判別し、満たす場合に、当該定番商品の情報を含む注文入力画面を表示するための第２の注文入力画面情報を前記第２の端末装置に送信する請求項１から３のいずれか一項に記載の表示制御装置。
＜請求項５＞
ネットワークを介して複数の端末装置に接続される表示制御装置のコンピュータを、
顧客と当該顧客を担当する営業担当者とを対応付けて記憶する第１の記憶手段、
前記顧客と前記顧客が注文する定番商品の情報とを対応付けて記憶する第２の記憶手段、
前記営業担当者の操作に応じて第１の端末装置が通信接続した場合に、当該営業担当者に対応する顧客が注文する前記定番商品を設定するための設定画面情報を前記第１の端末装置に送信する第１の送信手段、
前記第１の送信手段により送信された前記設定画面情報を受信した前記第１の端末装置で設定され、前記第１の端末装置から送信された前記定番商品の商品情報を受信して前記第２の記憶手段に記憶する記憶制御手段、
前記顧客の操作に応じて第２の端末装置が通信接続した場合に、当該顧客に対応する前記定番商品の商品情報を前記第２の記憶手段から読み出し、前記定番商品の商品情報を含む注文入力画面情報を前記第２の端末装置に送信する第２の送信手段、
として機能させるためのプログラム。
【符号の説明】
【０１５３】
１  商品注文システム
１０  サーバ
１１  ＣＰＵ
１２  操作部
１３  ＲＡＭ
１４  表示部
１５  記憶部
１６  通信部
１７  計時部
１８  バス
２０  端末装置
２１  ＣＰＵ
２２  操作部
２３  ＲＡＭ
２４  表示部
２５  記憶部
２６  通信部
２７  バス
Ｎ  通信ネットワーク
【図１】
2018190461.tif 000003
【図２】
2018190461.tif 000004
【図３】
2018190461.tif 000005
【図４】
2018190461.tif 000006
【図５】
2018190461.tif 000007
【図６】
2018190461.tif 000008
【図７】
2018190461.tif 000009
【図８】
2018190461.tif 000010
【図９】
2018190461.tif 000011
【図１０】
2018190461.tif 000012
【図１１】
2018190461.tif 000013
【図１２】
2018190461.tif 000014
【図１３】
2018190461.tif 000015
【図１４】
2018190461.tif 000016
【図１５】
2018190461.tif 000017
【図１６】
2018190461.tif 000018
【図１７】
2018190461.tif 000019
【図１８】
2018190461.tif 000020
【図１９】
2018190461.tif 000021
【図２０】
2018190461.tif 000022
【手続補正書】
【提出日】平成30年8月31日(2018.8.31)
【手続補正２】
【補正対象書類名】明細書
【補正対象項目名】０００１
【補正方法】変更
【補正の内容】
【０００１】
本発明は、注文処理装置及びプログラムに関する。
【手続補正３】
【補正対象書類名】明細書
【補正対象項目名】０００７
【補正方法】変更
【補正の内容】
【０００７】
本発明の課題は、お気に入り商品の登録を、商品注文を行うための注文画面から注文操作を行う操作と同様の操作で行えるようにすることで、操作負担を低減することである。
【手続補正４】
【補正対象書類名】明細書
【補正対象項目名】０００８
【補正方法】変更
【補正の内容】
【０００８】
上記課題を解決するために、本発明の注文処理装置は、通信接続された端末装置に対して商品の注文画面を送信する際には、商品の注文に係る第１の処理を実行するための第１のボタンと、お気に入り商品の登録に係る第２の処理を実行するための第２のボタンと、前記端末装置において指定される商品をリストで表示するための商品リスト表示領域と、を含めた注文画面を送信する送信手段と、前記送信手段により送信された注文画面を受信した端末装置で商品の指定操作がされて少なくとも一以上の商品が前記商品リスト表示領域に表示されている際に、当該端末装置で前記第１のボタンが操作されたならば、前記商品リスト表示領域に表示されている商品を注文対象商品として前記第１の処理を実行する一方で、当該端末装置で前記第２のボタンが操作されたならば、前記商品リスト表示領域に表示されている商品をお気に入り対象商品として前記第２の処理を実行する制御手段と、を備えることを特徴とする。
【手続補正５】
【補正対象書類名】明細書
【補正対象項目名】０００９
【補正方法】変更
【補正の内容】
【０００９】
本発明によれば、お気に入り商品の登録を、商品注文を行うための注文画面から注文操作を行う操作と同様の操作で行えるようにすることで、操作負担を低減することができる。
【手続補正６】
【補正対象書類名】特許請求の範囲
【補正対象項目名】全文
【補正方法】変更
【補正の内容】
【特許請求の範囲】
【請求項１】
通信接続された端末装置に対して商品の注文画面を送信する際には、商品の注文に係る第１の処理を実行するための第１のボタンと、お気に入り商品の登録に係る第２の処理を実行するための第２のボタンと、前記端末装置において指定される商品をリストで表示するための商品リスト表示領域と、を含めた注文画面を送信する送信手段と、
前記送信手段により送信された注文画面を受信した端末装置で商品の指定操作がされて少なくとも一以上の商品が前記商品リスト表示領域に表示されている際に、当該端末装置で前記第１のボタンが操作されたならば、前記商品リスト表示領域に表示されている商品を注文対象商品として前記第１の処理を実行する一方で、当該端末装置で前記第２のボタンが操作されたならば、前記商品リスト表示領域に表示されている商品をお気に入り対象商品として前記第２の処理を実行する制御手段と、
を備えることを特徴とする注文処理装置。
【請求項２】
前記注文画面には、前記第２の処理によって登録されたお気に入り商品を読み出すための第３のボタンが更に含まれ、
前記送信手段は、前記第３のボタンが操作された際に、前記第２の処理によって登録されたお気に入り商品を前記商品リスト表示領域に含めた注文画面を再送信する、
ことを特徴とする請求項１に記載の表示制御装置。
【請求項３】
前記注文画面には、前記商品リスト表示領域に商品を追加するための第４のボタンと、前記商品リスト表示領域に含まれる商品を削除するための第５のボタンが更に含まれ、
前記送信手段は、前記第４のボタンまたは前記第５のボタンが操作された際に、前記商品リスト表示領域に含まれる商品の追加または削除をした注文画面を再送信する、
ことを特徴とする請求項１または２に記載の表示制御装置。
【請求項４】
前記商品リスト表示領域には、指定された商品の商品情報として、当該商品の商品画像が含まれる、
ことを特徴とする請求項１から３何れか一項に記載の表示制御装置。
【請求項５】
コンピュータを、
通信接続された端末装置に対して商品の注文画面を送信する際には、商品の注文に係る第１の処理を実行するための第１のボタンと、お気に入り商品の登録に係る第２の処理を実行するための第２のボタンと、前記端末装置において指定される商品をリストで表示するための商品リスト表示領域と、を含めた注文画面を送信する送信手段、
前記送信手段により送信された注文画面を受信した端末装置で商品の指定操作がされて少なくとも一以上の商品が前記商品リスト表示領域に表示されている際に、当該端末装置で前記第１のボタンが操作されたならば、前記商品リスト表示領域に表示されている商品を注文対象商品として前記第１の処理を実行する一方で、当該端末装置で前記第２のボタンが操作されたならば、前記商品リスト表示領域に表示されている商品をお気に入り対象商品として前記第２の処理を実行する制御手段、
として機能させるためのプログラム。
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
通信接続された端末装置に対して商品の注文画面を送信する際には、商品の注文に係る第１の処理を実行するための第１のボタンと、お気に入り商品の登録に係る第２の処理を実行するための第２のボタンと、前記端末装置において指定される商品をリストで表示するための商品リスト表示領域と、を含めた注文画面を送信する送信手段と、
前記送信手段により送信された注文画面を受信した端末装置で商品の指定操作がされて少なくとも一以上の商品が前記商品リスト表示領域に表示されている際に、当該端末装置で前記第１のボタンが操作されたならば、前記商品リスト表示領域に表示されている商品を注文対象商品として前記第１の処理を実行する一方で、当該端末装置で前記第２のボタンが操作されたならば、前記商品リスト表示領域に表示されている商品をお気に入り対象商品として前記第２の処理を実行する制御手段と、
を備えることを特徴とする注文処理装置。
【請求項２】
前記注文画面には、前記第２の処理によって登録されたお気に入り商品を読み出すための第３のボタンが更に含まれ、
前記送信手段は、前記第３のボタンが操作された際に、前記第２の処理によって登録されたお気に入り商品を前記商品リスト表示領域に含めた注文画面を再送信する、
ことを特徴とする請求項１に記載の注文処理装置。
【請求項３】
前記注文画面には、前記商品リスト表示領域に商品を追加するための第４のボタンと、前記商品リスト表示領域に含まれる商品を削除するための第５のボタンが更に含まれ、
前記送信手段は、前記第４のボタンまたは前記第５のボタンが操作された際に、前記商品リスト表示領域に含まれる商品の追加または削除をした注文画面を再送信する、
ことを特徴とする請求項１または２に記載の注文処理装置。
【請求項４】
前記商品リスト表示領域には、指定された商品の商品情報として、当該商品の商品画像が含まれる、
ことを特徴とする請求項１から３何れか一項に記載の注文処理装置。
【請求項５】
コンピュータを、
通信接続された端末装置に対して商品の注文画面を送信する際には、商品の注文に係る第１の処理を実行するための第１のボタンと、お気に入り商品の登録に係る第２の処理を実行するための第２のボタンと、前記端末装置において指定される商品をリストで表示するための商品リスト表示領域と、を含めた注文画面を送信する送信手段、
前記送信手段により送信された注文画面を受信した端末装置で商品の指定操作がされて少なくとも一以上の商品が前記商品リスト表示領域に表示されている際に、当該端末装置で前記第１のボタンが操作されたならば、前記商品リスト表示領域に表示されている商品を注文対象商品として前記第１の処理を実行する一方で、当該端末装置で前記第２のボタンが操作されたならば、前記商品リスト表示領域に表示されている商品をお気に入り対象商品として前記第２の処理を実行する制御手段、
として機能させるためのプログラム。